(57)【特許請求の範囲】
【請求項１】
互いとネットワーク通信する複数のストリート照明器具ノードを有する動的なストリート照明器具ネットワークであって、前記ストリート照明器具ノードの各々は、少なくとも一つのＬＥＤ光源、前記ＬＥＤ光源と通信するコントローラ、前記コントローラと電気的に通信する動き検出システム、前記コントローラと電気的に通信するデータ送信システム、及び前記コントローラと電気的に通信するデータ受信システムを持つ少なくとも一つのストリート照明器具を有し、前記ストリート照明器具ノードの各々の前記動き検出システムは、カバー範囲内の対象物を検出して、前記コントローラへ前記対象物の検出を通信するように動作可能であり、前記データ送信システムは、前記対象物が前記動き検出システムにより検出されるとき、ストリート照明器具ノード識別データを送信し、前記ストリート照明器具ノードの各々の前記データ受信システムは、前記ストリート照明器具ノードの他のストリート照明器具ノードからストリート照明器具ノード識別データを受信し、前記コントローラへ前記ストリート照明器具ノード識別データを通信するように動作可能であり、前記ストリート照明器具ノードの各々の前記コントローラは、前記ストリート照明器具ノードの一つと他のストリート照明器具ノードとの間を進むのにかかる時間を決定できるほど活動する対象物の数が少ない期間の間、複数の前記ストリート照明器具ノードの各々との時間的関係を動的に決定し、これにより、前記対象物の活動の一つ以上の通常の経路に沿って複数の前記照明器具の各々との空間的関係を動的に決定するように動作可能であり、前記時間的関係の各々は、複数の時間差の分析に基づき、前記時間差の各々が、前記動き検出器による最近の対象物の検出と、前記ストリート照明器具の１つから前記ストリート照明器具ノード識別データの最近の受信との間の時間差に関係する、
動的なストリート照明器具ネットワーク。
【請求項２】
前記時間的関係各々が、複数の前記ストリート照明器具ノードの各々に対する時間差平均を作るために複数の前記ストリート照明器具ノードの各々に対する複数の前記時間差を平均することにより決定される、請求項１に記載の動的なストリート照明器具ネットワーク。
【請求項３】
前記データ受信システムにより受信した前記ストリート照明器具ノード識別データが少なくとも第１の時間的関係を持つ前記ストリート照明器具ノードの少なくとも一つを示すとき、前記ストリート照明器具ノードの各々の前記コントローラが、少なくとも一つの光源に光出力の第１のレベルを少なくとも出力させるように動作可能である、請求項２に記載の動的なストリート照明器具ネットワーク。
【請求項４】
前記データ受信システムにより受信した前記ストリート照明器具ノード識別データが第１の時間的関係より小さい第２の時間的関係を持つ前記ストリート照明器具ノードの少なくとも一つを示すとき、前記ストリート照明器具ノードの各々の前記コントローラが、少なくとも一つの光源に光出力の第１のレベルより大きい光出力の第２のレベルを出力させるように動作可能である、請求項３に記載の動的なストリート照明器具ネットワーク。
【請求項５】
光源通信出力を持つコントローラと、前記コントローラと電気的に通信する動き検出器と、前記コントローラと電気的に通信するデータ送信器と、前記コントローラと電気的に通信するデータ受信器とを有し、前記動き検出器は、照明器具カバー範囲内の対象物を検出するように動作可能であり、前記データ受信器は、複数の照明器具の少なくとも１つから照明器具識別データを受信するように動作可能であり、前記照明器具識別データは前記照明器具の特定の照明器具による対象物検出を示し、前記コントローラは、前記ストリート照明器具ノードの一つと他のストリート照明器具ノードとの間を進むのにかかる時間を決定できるほど活動する対象物の数が少ない期間の間、最初に動的に調整されるように動作可能であり、前記コントローラは、前記照明器具の各々に対する複数の時間差の分析を通じて複数の前記照明器具の各々との時間的関係を動的に決定し、これにより、前記対象物の活動の一つ以上の通常の経路に沿って複数の前記照明器具の各々との空間的関係を動的に決定することにより調整され、前記時間差の各々が、前記動き検出器による最近の対象物検出と前記照明器具の１つから前記照明器具識別データの最近の受信との間の時間差に関係し、前記コントローラは、前記コントローラが調整された後、少なくとも一つの最近受信した前記照明器具識別データに対応する前記照明器具の１つとの前記時間的関係に基づいて、前記光源通信出力上の出力信号を選択的に変えるように動作可能である、少なくとも一つの照明器具のための制御システム。
【請求項６】
前記コントローラが調整される前に、前記コントローラは、前記出力信号を選択的に変えない、請求項５に記載の少なくとも一つの照明器具のための制御システム。
【請求項７】
前記空間的関係が、前記動き検出器による対象物検出に対して後続の照明器具識別データと前記動き検出器による対象物検出に対して前の照明器具識別データとの少なくとも一つの分析を通じて決定される、請求項５に記載の少なくとも一つの照明器具のための制御システム。
【請求項８】
前記空間的関係が、前記動き検出器による対象物検出に対して後続の照明器具識別データと前記動き検出器による対象物検出に対して前の照明器具識別データとの分析を通じて決定される、請求項５に記載の少なくとも一つの照明器具のための制御システム。
【請求項９】
前記空間的関係が、複数の前記照明器具の前記時間的関係間の差の分析を通じて決定される、請求項５に記載の少なくとも一つの照明器具のための制御システム。
【請求項１０】
前記コントローラが、最近受信した前記照明器具識別データに対応する前記照明器具の少なくとも２つとの前記空間的関係に基づいて、前記光源通信出力上の前記出力信号を選択的に変えるように動作可能である、請求項５に記載の少なくとも一つの照明器具のための制御システム。
【請求項１１】
少なくとも一つの光源と、前記光源と電気的に通信するコントローラと、前記コントローラと電気的に通信する動き検出器と、前記コントローラと電気的に通信するデータ送信器と、前記コントローラと電気的に通信するデータ受信器とを有し、前記動き検出器は、照明器具カバー範囲内の対象物を検出するように動作可能であり、前記データ受信器は、複数の照明器具から照明器具識別データを受信するように動作可能であり、各照明器具識別データは前記照明器具の特定の照明器具による対象物検出を示し、前記コントローラは、前記照明器具の各々に対する複数の時間差の分析を通じて複数の前記照明器具の各々との時間的関係及び前記対象物の活動の一つ以上の通常の経路に沿った空間的関係を決定することにより動的に調整され、前記時間差の各々が、前記動き検出器による最近の対象物検出と前記照明器具の１つから前記照明器具識別データの最近の受信との間の時間差に関係し、前記コントローラが調整された後、最近受信した前記照明器具識別データが、第１の時間の期間内にある時間的関係を持つ前記照明器具の一つを示すとき、且つ、最近受信した前記照明器具識別データに先行する少なくとも一つの照明器具識別データ及び最近受信した前記照明器具識別データが、減少する空間的関係を示すとき、前記コントローラは、前記光源が第１のレベルの光出力を作ることを保証するように動作可能である、照明器具ネットワーク内の複数の照明器具と通信するための制御システムを持つ照明器具。
【請求項１２】
前記コントローラが調整された後、前記コントローラは、１つの最近受信した照明器具識別データが、第１の時間より少ない第２の時間の範囲内にある時間的関係を持つ前記照明器具の一つを示すとき、且つ、前記最近受信した照明器具識別データに先行する少なくとも一つの照明器具識別データと前記最近受信した照明器具識別データとが、減少している空間的関係を示すとき、前記光源が、光出力の第１のレベルより大きい光出力の第２のレベルを作ることを保証するように動作可能である、請求項１１に記載の照明器具ネットワーク内の複数の照明器具と通信するための制御システムを持つ照明器具。
【請求項１３】
前記コントローラが調整された後、前記コントローラは、前記最近受信した照明器具識別データに先行する少なくとも一つの照明器具識別データと前記最近受信した照明器具識別データとが、増大している空間的関係を示すとき、前記光源の光出力の前記レベルを減少するように動作可能である、請求項１１に記載の照明器具ネットワーク内の複数の照明器具と通信するための制御システムを持つ照明器具。
【請求項１４】
各々が照明器具を持つ複数のストリート照明器具ノードを有する照明器具ネットワークを、ストリート照明器具ノードの一つと他のストリート照明器具ノードとの間を進むのにかかる時間を決定できるほど活動する対象物の数が少ない期間の間、監視するステップと、前記期間の間、各々が複数の照明器具の一つに近い対象物検出を示す複数の照明器具識別データを受信するステップと、前記期間の間、基準照明器具カバー範囲内の対象物を検出するステップと、前記照明器具の各々に対する複数の時間差を計算する計算ステップであって、前記時間差の各々が、前記照明器具カバー範囲内の最近の対象物検出と前記照明器具の単一の照明器具からの前記照明器具識別データの最近の受信との間の時間差に関係する前記計算ステップと、前記照明器具の各々との時間的関係を計算するステップとを有し、前記照明器具の各々との前記時間的関係は、複数の前記時間差に関係し、前記時間的関係により、前記対象物の活動の一つ以上の通常の経路に沿って複数の前記照明器具の各々との空間的関係を動的に決定するステップを更に有する、照明器具ネットワーク内の照明器具を調整する方法。
【請求項１５】
前記空間的関係が、前記照明器具カバー範囲内の対象物検出の後受信した後続の照明器具識別データと、前記照明器具カバー範囲内の対象物検出の前に受信した前の照明器具識別データとの少なくとも一つの分析を通じて決定される、請求項１４に記載の照明器具ネットワーク内の照明器具を調整する方法。
【請求項１６】
前記空間的関係が、前記照明器具カバー範囲内の対象物検出の後受信した後続の照明器具識別データと、前記照明器具カバー範囲内の対象物検出の前に受信した前の照明器具識別データとの分析を通じて決定される、請求項１４に記載の照明器具ネットワーク内の照明器具を調整する方法。
【請求項１７】
各々が照明器具を持つ複数のストリート照明器具ノードを有する照明器具ネットワークを、ストリート照明器具ノードの一つと他のストリート照明器具ノードとの間を進むのにかかる時間を決定できるほど活動する対象物の数が少ない期間の間、監視するステップと、前記期間の間、各々が複数の照明器具の一つに近い対象物検出を示す複数の照明器具識別データを受信するステップと、前記期間の間、基準照明器具カバー範囲内の対象物を検出するステップと、前記照明器具の各々に対する複数の時間差を計算する計算ステップであって、前記時間差の各々は、前記照明器具カバー範囲内の最近の対象物検出と前記照明器具識別データの最近の受信との間の時間差に関係する前記計算ステップと、複数の前記時間差に関係する前記照明器具の各々との時間的関係を計算するステップと、前記時間的関係により、前記対象物の活動の一つ以上の通常の経路に沿って複数の前記照明器具の各々との空間的関係を動的に決定するステップと、前記基準照明器具カバー範囲に近い少なくとも一つの光源を、所定の特性を持つ電力で給電させるステップとを有し、前記所定の特性は、最近受信した前記照明器具識別データに対応する照明器具の前記時間的関係及び前記空間的関係に依存する、照明器具ネットワーク内の照明器具を制御する方法。
【発明の詳細な説明】
【技術分野】
【０００１】
本発明は、概して、半導体光源を使用する照明器具の制御に向けられている。より詳しくは、ここで開示される様々な本発明の方法及び装置は、対象物検知ネットワークのための知的な制御システムに関する。
【背景技術】
【０００２】
デジタル照明技術、すなわち、ＬＥＤのような半導体光源に基づく照明は、伝統的な蛍光灯、ＨＩＤ及び白熱電球の実行可能な代替物を提供する。ＬＥＤの機能的利点及び利益は、高いエネルギー変換、光効率、耐久性、低い稼働コスト及び他の多くを含む。ＬＥＤ技術の最近の進歩は、多くの用途で様々な照明効果を可能にする効率的且つロバストなフルスペクトル光源を提供した。これらの光源を具現化する幾つかの器具は、例えば米国特許第６、０１６、０３８号及び第６、２１１、６２６号に詳述されるように、様々な色及び色変化照明効果を生成するためにＬＥＤの出力を独立して制御するためのプロセッサだけでなく、例えば赤、緑及び青の種々異なる色を作ることができる一つ以上のＬＥＤを含む照明モジュールを特色とする。これらの器具は、また、参照によりここに組み込まれる例えば米国特許第６、５４８、９６７号に説明されているように、データ処理及び送信機能と照明を一体化するように構成できる。
【発明の概要】
【発明が解決しようとする課題】
【０００３】
エネルギー節約を達成するために、ＬＥＤを実装する多くの照明器具がデザインされてきた。加えて又は代わりに、エネルギー節約を達成するために知的な照明制御システムを実装する照明器具もデザインされてきた。例えば、幾つかのストリート照明器具は、昼光センサ及び動き検出器を含み、範囲内の他のストリート照明器具と無線でリンクされている。各ストリート照明器具は、その昼光センサにより測定された周囲光レベルが特定のレベルより低く、（１）動きが検出されたか、又は（２）隣接したストリート照明器具からの無線信号が、隣接したストリート照明器具の動き検出器により動きが検出されたことを示すときだけ照明する。対象物が隣接したストリート照明器具の動き検出器により検出されるとき、送信した無線信号によって、隣接したストリート照明器具の範囲内にある全てのストリート照明器具が照明される。よって、検出された対象物の実際の経路に関係なく、同じ数の隣接したストリート照明器具が照明される。中央分離帯の両側にストリート照明器具を持つ当該中央分離帯がある道路の場合、これは、対象物の反対側の中央分離帯の側にある範囲内のストリート照明器具が不必要に照明させられることになる。曲線道路の場合、これは、対象物から短時間の離れたフライト距離であるが対象物の実際の経路に沿って長距離離れている特定のストリート照明器具が不必要に照明させられることになる。斯様なシステムの照明器具間の関係は、その間の距離に基づいていて、例えば、活動の一つ以上の通常の経路に沿って互いとの関係により動的には決定されていない。
【０００４】
このように、複数の他の照明器具との関係を動的に決定できる一つ以上の照明器具を含む対象物検知ネットワークのための知的な制御システム用の技術のニーズがある。
【課題を解決するための手段】
【０００５】
本開示は、対象物検知照明ネットワークのための知的な制御システムのための本発明の方法及び装置、より詳しくは、複数の他の照明器具との関係を動的に決定する屋外の照明器具のための制御システムのための本発明の方法及び装置に向けられている。例えば、照明器具の制御システムは、低い活動の期間の間、照明器具と複数の他の照明器具との間の対象物の移動時間を監視することにより、活動の一つ以上の通常の経路に沿って、複数の他の照明器具との関係を動的に決定する。
【０００６】
一般に、一つの態様では、動的なストリート照明器具ネットワークは、互いとネットワーク通信する複数のストリート照明器具ノードを含む。前記ストリート照明器具ノードの各々は、少なくとも一つのＬＥＤ光源、前記ＬＥＤ光源と通信するコントローラ、前記コントローラと電気的に通信する動き検出システム、前記コントローラと電気的に通信するデータ送信システム、及び前記コントローラと電気的に通信するデータ受信システムを持つ少なくとも一つのストリート照明器具を含む。前記ストリート照明器具ノードの各々の前記動き検出システムは、カバー範囲内の対象物を検出して、前記コントローラへ前記対象物の検出を通信するように動作可能である。前記対象物が前記動き検出システムにより検出されるとき、前記データ送信システムは、ストリート照明器具ノード識別データを送信する。前記ストリート照明器具ノードの各々の前記データ受信システムは、前記ストリート照明器具ノードの他のストリート照明器具ノードからストリート照明器具ノード識別データを受信し、前記コントローラへ前記ストリート照明器具ノード識別データを通信するように動作可能である。低い活動の期間の間、前記ストリート照明器具ノードの各々の前記コントローラは、複数の前記ストリート照明器具ノードの各々との時間的関係を動的に決定するように動作可能である。前記時間的関係各々は、複数の時間差の分析に基づき、前記時間差の各々が、前記動き検出器による最近の対象物の検出と、前記ストリート照明器具の１つから前記ストリート照明器具ノード識別データの最近の受信との間の時間差に関係する。
【０００７】
幾つかの実施例では、前記時間的関係各々が、複数の前記ストリート照明器具ノードの各々に対する時間差平均を作るために複数の前記ストリート照明器具ノードの各々に対する複数の前記時間差を平均することにより決定される。これらの実施例の幾つかのバージョンでは、前記データ受信システムにより受信した前記ストリート照明器具ノード識別データが少なくとも第１の時間的関係を持つ前記ストリート照明器具ノードの少なくとも一つを示すとき、前記ストリート照明器具ノードの各々の前記コントローラが、少なくとも一つの光源に光出力の第１のレベルを少なくとも出力させるように動作可能である。これらの実施例の幾つかのバージョンでは、前記データ受信システムにより受信した前記ストリート照明器具ノード識別データが第１の時間的関係より小さい第２の時間的関係を持つ前記ストリート照明器具ノードの少なくとも一つを示すとき、前記ストリート照明器具ノードの各々の前記コントローラが、少なくとも一つの光源に光出力の第１のレベルより大きい光出力の第２のレベルを出力させるように動作可能である。光出力の第１のレベル及び光出力の第２のレベルは、例えば、ルックアップテーブル及び／又は式から導出されてもよい。
【０００８】
幾つかの実施例では、前記ストリート照明器具ノードの各々の前記コントローラが、複数の前記ストリート照明器具ノードの各々との空間的関係を動的に決定するように更に動作可能である。
【０００９】
一般に、別の態様においては、光源通信出力を持つコントローラと、前記コントローラと電気的に通信する動き検出器と、前記コントローラと電気的に通信するデータ送信器と、前記コントローラと電気的に通信するデータ受信器とを含む。前記動き検出器は、照明器具カバー範囲内の対象物を検出するように動作可能である。前記データ受信器は、複数の照明器具の少なくとも１つから照明器具識別データを受信するように動作可能であり、前記照明器具識別データは前記照明器具の特定の照明器具による対象物検出を示す。前記コントローラは、低い活動の期間の間、最初に動的に調整されるように動作可能である。前記コントローラは、前記照明器具の各々に対する複数の時間差の分析を通じて複数の前記照明器具の各々との時間的関係を動的に決定することにより調整される。前記時間差の各々が、前記動き検出器による最近の対象物検出と前記照明器具の１つから前記照明器具識別データの最近の受信との間の時間差に関係する。前記コントローラが調整された後、前記コントローラは、少なくとも一つの最近受信した前記照明器具識別データに対応する前記照明器具の１つとの前記時間的関係に基づいて、前記光源通信出力上の出力信号を選択的に変えるように動作可能である。
【００１０】
幾つかの実施例では、出力信号は、変数として照明器具の１つと時間的関係を持つ式に依存している。出力信号は、値として複数の時間的関係を持つルックアップテーブルに依存してもよい。
【００１１】
幾つかの実施例では、前記コントローラが調整される前に、前記コントローラは、前記出力信号を選択的に変えない。
【００１２】
幾つかの実施例では、前記コントローラは、複数の前記照明器具の各々との空間的関係を動的に決定するように動作可能である。これらの実施例の幾つかのバージョンでは、前記空間的関係が、前記動き検出器による対象物検出に対して後続の照明器具識別データと前記動き検出器による対象物検出に対して前の照明器具識別データとの少なくとも一つの分析を通じて決定される。これらの実施例の幾つかのバージョンでは、前記空間的関係が、前記動き検出器による対象物検出に対して後続の照明器具識別データと前記動き検出器による対象物検出に対して前の照明器具識別データとの分析を通じて決定される。これらの実施例の幾つかのバージョンでは、前記空間的関係が、複数の前記照明器具の前記時間的関係間の差の分析を通じて決定される。これらの実施例の幾つかのバージョンでは、前記コントローラが、最近受信した前記照明器具識別データに対応する前記照明器具の少なくとも２つとの前記空間的関係に基づいて、前記光源通信出力上の前記出力信号を選択的に変えるように動作可能である。
【００１３】
一般に、別の態様においては、照明器具ネットワーク内の複数の照明器具と通信するための制御システムを持つ照明器具は、少なくとも一つの光源と、前記光源と電気的に通信するコントローラと、前記コントローラと電気的に通信する動き検出器と、前記コントローラと電気的に通信するデータ送信器と、前記コントローラと電気的に通信するデータ受信器とを含む。前記動き検出器は、照明器具カバー範囲内の対象物を検出するように動作可能である。前記データ受信器は、複数の照明器具から照明器具識別データを受信するように動作可能であり、各照明器具識別データは前記照明器具の特定の照明器具による対象物検出を示す。前記コントローラは、前記照明器具の各々に対する複数の時間差の分析を通じて複数の前記照明器具の各々との時間的関係及び空間的関係を決定することにより動的に調整される。前記時間差の各々が、前記動き検出器による最近の対象物検出と前記照明器具の１つから前記照明器具識別データの最近の受信との間の時間差に関係する。前記コントローラが調整された後、最近受信した前記照明器具識別データが、第１の時間の期間内にある時間的関係を持つ前記照明器具の一つを示すとき、且つ、最近受信した前記照明器具識別データに先行する少なくとも一つの照明器具識別データ及び最近受信した前記照明器具識別データが、減少する空間的関係を示すとき、前記コントローラは、前記光源が第１のレベルの光出力を作ることを保証するように動作可能である。
【００１４】
幾つかの実施例では、前記コントローラが調整された後、前記コントローラは、１つの最近受信した照明器具識別データが、第１の時間より少ない第２の時間の範囲内にある時間的関係を持つ前記照明器具の一つを示すとき、且つ、前記最近受信した照明器具識別データに先行する少なくとも一つの照明器具識別データと前記最近受信した照明器具識別データとが、減少している空間的関係を示すとき、前記光源が、光出力の第１のレベルより大きい光出力の第２のレベルを作ることを保証するように動作可能である。
【００１５】
幾つかの実施例では、前記コントローラが調整された後、前記コントローラは、前記最近受信した照明器具識別データに先行する少なくとも一つの照明器具識別データと前記最近受信した照明器具識別データとが、増大している空間的関係を示すとき、前記光源の光出力の前記レベルを減少するように動作可能である。
【００１６】
幾つかの実施例では、コントローラが調整される前に、コントローラは、照明器具に近い周囲光レベルが閾値より低いとき光出力のデフォルトレベルを作ることを保証するように動作可能である。
【００１７】
一般に、別の態様においては、照明器具ネットワーク内の照明器具を調整する方法は、低い活動の期間の間、照明器具ネットワークを監視するステップを有する。当該方法は、更に、低い活動の前記期間の間、各々が複数の照明器具の一つに近い対象物検出を示す複数の照明器具識別データを受信するステップを有する。当該方法は、更に、低い活動の前記期間の間、基準照明器具カバー範囲内の対象物を検出するステップを有する。当該方法は、更に、前記照明器具の各々に対する複数の時間差を計算する計算ステップであって、前記時間差の各々が、前記照明器具カバー範囲内の最近の対象物検出と前記照明器具の単一の照明器具からの前記照明器具識別データの最近の受信との間の時間差に関係する前記計算ステップを有する。当該方法は、更に、前記照明器具の各々との時間的関係を計算するステップを有する。前記照明器具の各々との前記時間的関係は、複数の前記時間差に関係する。
【００１８】
幾つかの実施例では、当該方法は、更に、複数の前記照明器具の各々との空間的関係を決定するステップを有する。
【００１９】
幾つかの実施例では、前記空間的関係が、前記照明器具カバー範囲内の対象物検出の後受信した後続の照明器具識別データと、前記照明器具カバー範囲内の対象物検出の前に受信した前の照明器具識別データとの少なくとも一つの分析を通じて決定される。これらの実施例の幾つかのバージョンでは、前記空間的関係が、前記照明器具カバー範囲内の対象物検出の後受信した後続の照明器具識別データと、前記照明器具カバー範囲内の対象物検出の前に受信した前の照明器具識別データとの分析を通じて決定される。これらの実施例の幾つかのバージョンでは、空間的関係は、複数の照明器具の時間的関係間の差を分析することで決定される。
【００２０】
一般に、別の態様では、照明器具ネットワーク内の照明器具を制御する方法は、低い活動の期間の間、照明器具ネットワークを監視するステップを有する。当該方法は、更に、低い活動の前記期間の間、各々が複数の照明器具の一つに近い対象物検出を示す複数の照明器具識別データを受信するステップを有する。当該方法は、更に、低い活動の前記期間の間、基準照明器具カバー範囲内の対象物を検出するステップを有する。当該方法は、更に、前記照明器具の各々に対する複数の時間差を計算する計算ステップを有する。前記時間差の各々は、前記照明器具カバー範囲内の最近の対象物検出と前記照明器具識別データの最近の受信との間の時間差に関係する。当該方法は、更に、前記照明器具の各々との時間的関係を計算するステップを有する。前記照明器具の各々との時間的関係は、複数の前記時間差に関係する。当該方法は、更に、前記基準照明器具カバー範囲に近い少なくとも一つの光源を、所定の特性を持つ電力で給電させるステップを有する。前記所定の特性は、最近受信した前記照明器具識別データに対応する照明器具の前記時間的関係に依存する。
【００２１】
本開示の目的のために本明細書において用いられる場合、「ＬＥＤ」という用語は、任意のエレクトロルミネセンスダイオード又は電気信号に応じて放射を生成することができる他のタイプのキャリア注入／接合型のシステムを含むことを理解されたい。従って、ＬＥＤという用語は、電流に応じて光を発する種々の半導体を使用した構造体、発光ポリマ、有機発光ダイオード（ＯＬＥＤ）、エレクトロルミネセンスストリップ等を含むが、これらに限定されない。特に、ＬＥＤという用語は、赤外線スペクトル、紫外線スペクトル及び（一般に、約４００ナノメートルから約７００ナノメートルまでの放射波長を含む）可視スペクトルの種々の部分の一つ以上において放射を生成するように構成され得る（半導体及び有機発光ダイオードを含む）全てのタイプの発光ダイオードのことを意味する。ＬＥＤの幾つかの例は、赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含むが、これらに限定されない（以下に、更に述べられる。）。ＬＥＤは、あるスペクトル（例えば、狭帯域幅、広帯域幅）に対して種々の帯域幅（例えば、半値全幅、すなわちＦＷＨＭ）及びある一般的な色分類（色のカテゴリー化）内の種々の主波長を持つ放射を生成するように構成及び／又は制御され得ることも理解されたい。例えば、本質的に白色の光を生成するように構成されたＬＥＤ（例えば、白色ＬＥＤ）の１つの実行は、本質的に白色の光を形成するために組み合わせて混合するエレクトロルミネセンスの異なるスペクトルをそれぞれ発する幾つかのダイを含んでいる。他の実行では、白色光ＬＥＤは、第１のスペクトルを持つエレクトロルミネセンスを異なる第２のスペクトルに変換する蛍光材料に関連している。この実行の一例では、かなり短波長であり、狭帯域幅のスペクトルを持つエレクトロルミネセンスが蛍光材料を「ポンピング」し、該蛍光材料は、その結果として幾らかより広い帯域幅のスペクトルを持つより長い波長の放射を放つ。
【００２２】
ＬＥＤという用語は、ＬＥＤの物理的及び／又は電気的なパッケージのタイプを限定するものではないことも理解されたい。例えば、上述したように、ＬＥＤは、異なるスペクトルの放射をそれぞれ発するように構成された複数のダイ（例えば、個々に制御可能である又はそうではない。）を有する単一の発光デバイスを指す場合がある。また、ＬＥＤは、当該ＬＥＤ（例えば、幾つかのタイプの白色ＬＥＤ）の一体部分とみなされる蛍光体と関連し得る。一般に、ＬＥＤという用語は、パッケージ化されたＬＥＤ、パッケージ化されていないＬＥＤ、表面実装型ＬＥＤ、チップオンボード型ＬＥＤ、Ｔパッケージ実装型ＬＥＤ、放射パッケージ型ＬＥＤ、電力パッケージ型ＬＥＤ、何らかのタイプのケース（encasement）及び／又は光学素子（例えば、拡散レンズ）を含むＬＥＤ等を指す。
【００２３】
「光源」という用語は、（上述して規定された一つ以上のＬＥＤを含む）ＬＥＤを使用したソース、白熱源（例えば、フィラメントランプ、ハロゲンランプ）、蛍光源、リン光源、高輝度放電源（例えば、ナトリウム、水銀及びメタルハライドランプ）、レーザ、他のタイプのエレクトロルミネセンス源、熱ルミネセンス源（例えば、炎）、キャンドルルミネセンス源（candle-luminescent source）（例えば、ガスマントル、カーボンアーク放射源）、フォトルミネセンス源（例えば、ガス放電源）、電子飽和を用いるカソードルミネセンス源、ガルバノルミネセンス源、クリスタロルミネセンス源、キネルミネセンス源（kine-lumincescent source）、熱ルミネセンス源、トリボルミネセンス源、ソノルミネセンス源、放射ルミネセンス源（radio luminescent source）及び発光ポリマを含むが、これらに限定されない種々の放射源の任意の一つ以上を意味すると理解されたい。
【００２４】
所与の光源は、可視スペクトル内、可視スペクトル外又は両方の組み合わせで電磁放射を生成するように構成され得る。従って、「光」及び「放射線」という用語は、本明細書では区別なく用いられる。更に、照明器具は、一体化している構成要素として、１つ若しくはそれ以上のフィルタ（例えば、カラーフィルタ）、レンズ又は他の光学部品を含んでいてもよい。また、照明器具は、指示、表示及び／又は照明を含むが、これらに限定されない種々の用途のために構成され得ることを理解されたい。「照明源」は、特に室内又は室外空間を効果的に照明するために十分な輝度を有する放射を生成するように構成された光源である。これに関連して、「十分な輝度」とは、周囲照明（すなわち、間接的に知覚され、例えば、全体として又は部分的に知覚される前に種々の介在する表面の一つ以上から反射され得る光）を与えるために上記空間又は環境において生成される可視スペクトルでの十分な放射パワー(放射パワー又は「光束」については、全方向の光源からの合計の光出力を表すために「ルーメン」の単位が使用されることが多い。)を意味している。
【００２５】
「照明器具」という用語は、本明細書では、特定のフォームファクタ、アセンブリ又はパッケージにおける一つ以上の照明ユニットの実行又は配置について言及するために用いられる。「照明ユニット」という用語は、本明細書では、同じタイプ又は異なるタイプの一つ以上の光源を含む装置について言及するために用いられる。ある照明ユニットは、光源、筐体／ハウジングの機構の形状及び／又は電気的及び機械的接続の構成のために種々の取り付け機構のうちの任意の１つを有している。また、ある照明ユニットは、オプションで、光源の動作に関連する様々な他の構成要素（例えば、制御回路）と関係がある（例えば、それを含んでいる、それに結合されている及び／又はそれとともにパッケージされている。）。「ＬＥＤを使用した照明ユニット」は、単独の又は他のＬＥＤを使用していない光源と組み合わせた上述したような一つ以上のＬＥＤを使用した光源を含む照明ユニットのことを意味する。「マルチチャネル」照明ユニットは、放射線のそれぞれ異なるスペクトルを生成するように構成される少なくとも２つの光源を含むＬＥＤベース又は非ＬＥＤベースの照明ユニットを指し、各異なる光源のスペクトルは、マルチチャネル照明ユニットの「チャネル」と呼ばれる。
【００２６】
「コントローラ」という用語は、本明細書では、一つ以上の光源の動作に関連する種々の装置を広く説明するために用いられる。コントローラは、本明細書において述べられる様々な機能を実行するために（例えば、専用ハードウェアを用いて等の）種々の方法で実行され得る。「プロセッサ」は、本明細書において述べられる様々な機能を実行するためにソフトウェア（例えば、マイクロコード）を用いてプログラムされ得る一つ以上のマイクロプロセッサを使用するコントローラの一例である。コントローラは、プロセッサを用いて又は用いないで実行され、また、幾つかの機能を実行するための専用ハードウェアと他の機能を実行するためのプロセッサとの組み合わせ（例えば、一つ以上のプログラムされたマイクロプロセッサ及び関連回路）としても実行され得る。本開示の種々の実施の形態に使用され得るコントローラの構成要素の例は、従来のマイクロプロセッサ、特定用途向け集積回路（ＡＳＩＣ）及びフィールドプログラマブルゲートアレイ（ＦＰＧＡ）を含んでいるが、これらに限定されない。
【００２７】
様々な実行では、プロセッサ又はコントローラは、（例えば、ＲＡＭ、ＰＲＯＭ、ＥＰＲＯＭ及びＥＥＰＲＯＭのような揮発性及び不揮発性コンピュータメモリ、フロッピー（登録商標）ディスク、コンパクトディスク、光ディスク並びに磁気テープである「メモリ」と一般にここでは呼ばれる）一つ以上の記憶媒体と関連する。幾つかの実行では、上記記憶媒体は、一つ以上のプロセッサ及び／又はコントローラ上で実行されるとき、ここで説明される機能の少なくとも幾つかを実施する一つ以上のプログラムによりコード化される。種々の記憶媒体は、本明細書において説明される本発明の種々の観点を実行するために、プロセッサ若しくはコントローラ内に固定されているか、又は該記憶媒体に記憶された一つ以上のプログラムがプロセッサにロードされ得るように移送可能である。本明細書において用いられる「プログラム」又は「コンピュータプログラム」という用語は、一つ以上のプロセッサ又はコントローラをプログラムするために使用され得る任意のタイプのコンピュータコード（例えば、ソフトウェア又はマイクロコード）を意味するために本明細書において汎用的意味で用いられる。
【００２８】
１つのネットワーク実行では、ネットワークに結合される一つ以上の装置は、（例えば、マスター／スレーブ関係で）ネットワークに結合される一つ以上の他の装置のためのコントローラとして役に立つ。他の実行では、ネットワーク化された環境は、ネットワークに結合される一つ以上の装置を制御するように構成される一つ以上の専用コントローラを含む。一般に、ネットワークに結合される複数の装置各々は、通信媒体内にあるデータへのアクセスを持つが、所与の装置は、例えば、データに割り当てられる一つ以上の特定の識別子（例えば、「アドレス」）に基づいて、ネットワークとデータを選択的に交換するように構成されている（すなわち、データをネットワークから受信し及び／又はネットワークへデータを送信する）という点で、「アドレス指定可能である」。
【００２９】
本明細書において用いられる「ネットワーク」という用語は、ネットワークに結合された任意の２つ又はそれ以上のデバイスの間及び／又は複数のデバイス間の（例えば、デバイスの制御、データの記憶、データの交換等のための）情報の輸送を容易にする（照明コントローラ又はプロセッサを含む）２つ又はそれ以上のデバイスの任意の相互接続を意味する。容易に理解されるように、複数のデバイスを相互接続するのに適したネットワークの種々の実行は、種々のネットワークトポロジのいずれかを含み、種々の通信プロトコルのいずれかを使用する。また、本開示に係る種々のネットワークでは、２つのデバイス間のいずれか１つの接続は、２つの系の間の専用接続を表すか、又は代替として、非専用接続を表す。２つのデバイスのための情報を伝えることに加えて、そのような非専用接続は、必ずしも２つのデバイスのいずれのためでもない情報を伝える（例えば、オープンネットワーク接続）。更に、本明細書において述べられるようなデバイスの種々のネットワークが、ネットワーク全体にわたる情報の輸送を容易にするために、一つ以上の無線、有線／ケーブル及び／又は光ファイバリンクを使用し得ることは容易に理解されるべきである。
【００３０】
上述の概念及び以下に極めて詳細に説明される更なる概念の全ての組み合わせは（そのような概念が相互に矛盾しないならば、）、本明細書において開示される発明の主観的事項の一部であると考えられることを理解されたい。特に、この開示の最後に示される特許請求の範囲の主観的事項の全ての組み合わせは、本明細書において開示される発明の主観的事項の一部であると考えられる。また、参照することにより組み込まれるいずれの開示にも表れ得る本明細書において明示的に使用される用語は、本明細書で開示される特定の概念と最も一貫性がある意味を与えられることも理解されたい。
【００３１】
図面では、類似の参照符号は、異なる図面全体にわたって概して同じ部分を指す。また、図面は、必ずしも縮尺通りというわけではなく、代わりに、本発明の原理を例示する際に強調されている。
【図面の簡単な説明】
【００３２】
【図１】図１は、車道に沿って配置された複数のストリート照明器具を持つストリート照明器具ネットワークの実施例を示す。
【図２】図２は、図１のストリート照明器具の１つのブロック図を例示する。
【図３】図３は、カーブの車道に沿って配置された複数のストリート照明器具を持つストリート照明器具ネットワークの他の実施例を例示する。
【発明を実施するための形態】
【００３３】
エネルギー節約を達成するために知的な照明制御システムを実行する照明器具がデザインされてきた。対象物が斯様な知的な照明制御システムを実行する照明器具の動き検出器により検出されるとき、照明器具は、その範囲内にある全てのストリート照明器具を照明させる信号を発する。斯様なシステム内の照明器具間の関係は、その間の距離に基づいていて、例えば、活動の一つ以上の通常の経路に沿った互いとの関係により、動的に決定されていない。結果として、対象物が斯様なシステムで検出されるとき、その幾つかの照明器具は不必要に高いレベルの光出力で動作され、及び／又は不必要に長い時間、高いレベルの光出力が維持される。よって、出願人は、対象物が照明器具及び／又は一つ以上の他の照明器具により検出されるとき、照明器具がより効率的に動作されるように、複数の他の照明器具との照明器具の関係を動的に決定する一つ以上の照明器具を含む動き検知照明ネットワークのための知的制御システムを提供することが有益であるということを認識し理解した。斯様な対象物は、例えば、車、トラック、バス、自転車、電車又は歩行者である。
【００３４】
さらに一般的にいえば、出願人は、複数の他の照明器具との照明器具の関係を動的に決定するネットワーク化された照明器具のための制御システムを提供することが有益であると認識し理解した。
【００３５】
以下の詳細な説明では、限定ではなく説明のために、具体的な詳細を開示している代表的な実施例が、請求された本発明の完全な理解を提供するために説明される。しかしながら、ここで開示される具体的な詳細から離れる本発明の教示に従う他の実施例も添付の請求の範囲内にあることは、本開示の利益を享受した通常の当業者には明らかであろう。その上、良く知られた装置及び方法の説明は、代表的な実施例の説明をぼかさないようにするために省略される。斯様な方法及び装置は、請求された本発明の範囲内に明らかにある。例えば、ここで開示されるアプローチの様々な実施例は、車道に沿って配置され、車道上の交通状態に基づいて予め定められた光出力レベルを提供するように構成される動き検知ストリート照明ネットワークのための知的な制御システムに特に適している。従って、説明の便宜上、請求された本発明は、斯様なストリート照明ネットワークと連動して説明される。しかしながら、このアプローチの他の構成及びアプリケーションは、請求された本発明の範囲又は要旨から逸脱せずに考察され得る。
【００３６】
図１を参照すると、ストリート照明器具ネットワーク１０は、車道に沿って配置された複数のストリート照明器具２０Ａ―Ｐを含む。ストリート照明器具２０Ａ―Ｐの各々は、対応するストリート照明器具カバー範囲２１Ａ―Ｐを持ち、その範囲内で例えば車のような対象物の動きを検出する。複数のストリート照明器具２０Ａ―Ｐは、互いとネットワーク通信している。
【００３７】
図２を参照すると、ストリート照明器具ネットワーク１０のストリート照明器具２０Ａ―Ｐの各々に共通の制御システム２５のブロック図が示されている。部品はストリート照明器具２０Ａ―Ｐの各々に共通であるが、ストリート照明器具２０Ａ―Ｐの特定のものを指すために「Ａ−Ｐ」の記号表示で本願では用いられているので、「Ａ−Ｐ」の記号表示は、図２に例示される各種部品から省略されている。制御システム２５及び光源２４は、例えば外部の交流電源のような電源と電気的に通じている。
【００３８】
幾つかの実施例では、制御システム２５は、外部の交流電源及びスイッチと電気的に通じる昼光センサを含み、スイッチは、昼光センサ、外部の交流電源及び制御システム２５と電気的に通じている。昼光センサは、周囲光レベルを測定するために実施可能な状態に配置されている。昼光センサにより測定される周囲光レベルが所定レベルより落ちるとき、スイッチにより外部の交流電源から制御システム２５への電力をルーティングさせ、これにより低い周囲光の時間の間だけ、制御システム２５に給電させる。幾つかの実施例では、ＡＣ／ＤＣコンバータが、外部の交流電源と制御システム２５との間に配置される。
【００３９】
対象物検出器３０及びデータトランシーバ３５は、コントローラ５０と電気的に通信する。コントローラ５０は、光源２４に給電する光源電子回路２２と電気的に通じている。幾つかの実施例では、光源２４はＬＥＤ光源であり、光源電子回路２２は、所望の光出力レベルで光源２４に給電するための一つ以上のドライバを含む。他の実施例では、光源２４はＨＩＤ光源であり、光源電子回路２２は、所望の光出力レベルで光源２４に給電するための一つ以上のバラストを含む。他のタイプの光源も、本発明の範囲及び趣旨から逸脱せずに使用できる。
【００４０】
コントローラ５０は、光源２４が適切に給電されることを保証するために光源電子回路２２と通信するように動作可能である。例えば、図２の実施例のような幾つかの実施例では、コントローラ５０は、光源２４が所望の強度の光出力を作ることを保証するために光源電子回路２２と通信する。例えば、光源電子回路２２は、コントローラ５０から受信した入力に基づいて、その照明強度を制御するために光源２４に供給される電力を調整する。光源２４の光出力は、光源２４により所望の強度を持つ光出力を作るために、光源電子回路２２により例えばパルス幅変調で変えられる。
【００４１】
データトランシーバ３５は、データ送信器３７及びデータ受信器３９を含む。幾つかの実施例では、データ送信器３７は無線周波数（ＲＦ）発信器を含み、データ受信器３９はＲＦ受信器を含む。幾つかの実施例では、データ送信器３７及びデータ受信器３９は、互いから分離可能な部品であり、データトランシーバ４０のパッケージに含まれていない。データ送信器３７は、ストリート照明器具２０Ａ―Ｐの他の少なくとも一つへデータを送信するデータ送信システムを形成するために、コントローラ５０と協働し、データ受信器３９は、ストリート照明器具２０Ａ―Ｐの他の少なくとも一つからデータを受信するデータ受信システムを形成するために、コントローラ５０と協働する。代わりの実施例では、データは、例えば、ツイストペア同軸ケーブル、ファイバー光学部品、又は例えば、赤外線、マイクロ波、若しくはコード化された可視光送信を使用する無線リンクを含む任意の物理的媒体上で、様々なストリート照明器具２０Ａ―Ｐ間で通信され、任意の適切な発信器、受信器又はトランシーバは、照明器具ネットワーク１０の通信を達成するために用いられる。例えば、ＴＣＰ／ＩＰ、イーサネット（登録商標）のバリエーション、ユニバーサルシリアルバス、ブルートゥース、ＦｉｒｅＷｉｒｅ、Ｚｉｇｂｅｅ（登録商標）、ＤＭＸ、８０２．１１ｂ、８０２．１１ａ、８０２．１１ｇ、トークンリング、トークンバス、シリアルバス、メイン又は低電圧電力線上の電力ラインネットワーク又は他の任意の適切な無線若しくは有線のプロトコルを含む任意の適切なプロトコルが、データ伝送のために使われる。照明器具ネットワーク１０は、また、物理的媒体及び／又はデータプロトコルの組合せを使用してもよい。
【００４２】
幾つかの実施例では、光源電子回路２２はＬＥＤドライバを含み、光源２４はストリート照明器具２０Ａ―Ｐの他の照明器具へデータを送信するために用いられるデータ送信器を使用するＬＥＤ光源を含む。これらの実施例の幾つかでは、ＬＥＤ光源の出力は、ＬＥＤ光源により、コード化されたＬＥＤデータを持つ光出力を生じさせるためＬＥＤドライバにより、例えば、パルス符号変調及び／又はパルス位置変調を通じて変更されてもよい。光センサは、データ受信器を含んでもよく、ストリート照明器具２０Ａ―Ｐの少なくとも一つからコード化されたＬＥＤデータを持つ光出力を受信するためストリート照明器具２０Ａ―Ｐの各々に、実施可能な状態で配置される。光センサは、コード化されたＬＥＤデータを持つ受信した光出力を解釈するためにコントローラ５０と連絡する。光センサは、例えば、フォトトランジスタ、フォトダイオード、又はコード化されたＬＥＤデータを持つ受信した光出力に存在する波長を持つ入射光を検出できる任意の他の装置である。
【００４３】
対象物検出器３０は、カバー範囲内の対象物の存在及び／又は動きを検出するために実施可能な状態で配置される動き検出器として実行できる。幾つかの実施例では、対象物検出器３０は、例えば、赤外線、レーザ技術、電波、固定カメラ、インダクティブ近接検出、サーモグラフィカメラ及び／又は電磁場若しくは静電場を通じて対象物の存在及び／又は動きを、例えば検出する一つ以上の装置である。対象物検出器３０及びコントローラ５０は、図２の実施例の動き検出システムを有する。
【００４４】
動きが特定のストリート照明器具２０Ａ―Ｐの対象物検出器３０により検出されるとき、そのコントローラ５０は、そのデータ送信器３７を介してデータを送信させる。送信されたデータは、その特定の送信しているストリート照明器具２０Ａ―Ｐにより検出される動きを示す照明器具識別データを含む。少なくとも一つの他のストリート照明器具２０Ａ―Ｐのデータ受信器３９は、ストリート照明識別データを受信するように動作可能である。少なくとも一つの他のストリート照明器具２０Ａ―Ｐが調整された場合、光源２４の光出力は、ここで付加的に詳細に説明されるように、送信しているストリート照明器具２０Ａ―Ｐとの動的に決定された時間的関係に基づいて適当な光出力レベルにあることを保証する。少なくとも一つの他のストリート照明器具２０Ａ―Ｐが調整されなかった場合、ここで付加的に詳細に説明されるように、そのコントローラ５０は、送信しているストリート照明器具２０Ａ―Ｐと関係する時間差を決定する。時間差は、時間的関係を計算するために用いられ、送信しているストリート照明器具２０Ａ―Ｐからのストリート照明識別データの受信と、少なくとも一つの他のストリート照明器具２０Ａ―Ｐによる動きの検出との間の時間差に関係する。
【００４５】
再び図１を参照して、一つの実施例によるストリート照明器具ネットワーク１０の単一のストリート照明器具２０Ｍの調整が説明される。ストリート照明器具２０Ｍは、低い活動の一つ以上の期間の間に、それ自体を調整する。低い活動の期間は、単一の車がストリート照明器具２０Ａ―Ｌ及び２０Ｎ―Ｐの幾つかとストリート照明器具２０Ｍとの間を進むのにかかる時間が決定されるような、比較的少ない車が照明器具２０Ｍの近くに存在するときの時間に対応する。幾つかの実施例では、低い活動の期間は、ストリート照明器具ネットワーク１０の全て又は一部で検出された動きの量に基づいて決定される。幾つかの実施例では、低い活動の期間は、例えば午前３時００分−午前４時００分のような予め選択された時間である。他の実施例では、低い活動の期間は、別途決定されてもよい。
【００４６】
低い活動の期間の間に、ストリート照明器具２０Ｍが、そのデータ受信器３９Ｍを介して、各々が照明器具２０Ａ―Ｌ及び２０Ｎ―Ｐの１つにより検出される動きを示す複数の照明器具識別データを受信する。ストリート照明器具２０Ｍのコントローラ５０Ｍは、複数の時間差を計算し、時間差の各々は、照明器具２０Ａ―Ｌ及び２０Ｎ―Ｐの１つに対する照明器具識別データの受信と、ストリート照明器具２０Ｍの動き検出器３０Ｍによる動きの検出との間の時間に関係がある。時間差の各々は、対象物がストリート照明器具カバー範囲２１Ａ―Ｌ及び２１Ｎ―Ｐの一つと、ストリート照明器具カバー範囲２１Ｍとの間を進むためにかかった時間を示す。
【００４７】
予め定められた数の時間差が計算された後、コントローラ５０Ｍは、照明器具２０Ａ―Ｌ及び２０Ｎ―Ｐの各々に対して計算された複数の時間差に基づいて、複数の照明器具２０Ａ―Ｌ及び２０Ｎ―Ｐの各々との時間的関係を計算する。幾つかの実施例では、照明器具２０Ａ―Ｌ及び２０Ｎ―Ｐの単一の照明器具のための時間的関係は、例えば、単一の照明器具に対する全ての時間差の平均をとることに基づく。幾つかの実施例では、照明器具２０Ａ―Ｌ及び２０Ｎ―Ｐの単一の照明器具に対する時間的関係は、例えば、単一の照明器具に対する時間差の統計的に有意な範囲の平均をとることに基づく。幾つかの実施例では、照明器具２０Ａ―Ｌ及び２０Ｎ―Ｐの単一の照明器具に対する時間的関係は、例えば、単一の照明器具に対する外れ値ではない全ての時間差の平均値に基づく。他の実施例では、さもなければ、照明器具２０Ａ―Ｌ及び２０Ｎ―Ｐの単一の照明器具に対する時間的関係は、単一の照明器具に対する複数の時間差に基づく。
【００４８】
例えば、下記の表１―１は、ストリート照明器具２０Ａに関してストリート照明器具２０Ｍに対する時間差を測定した複数の例を示す。各時間差は、対象物がストリート照明器具カバー範囲２１Ａからストリート照明器具カバー範囲２１Ｍまで進むのにかかった時間を秒で示す。「＞１８０」という値は、１８０秒より長い時間を示し、例えば、ストリート照明器具２０Ａを過ぎた後にストリート照明器具２０Ｍを決して通り過ぎなかった車を示す。
0005943838.tif 000002
表１―１
【００４９】
幾つかの実施例では、ストリート照明器具２０Ａとのストリート照明器具２０Ｍの時間的関係を決定するために、コントローラ５０Ｍは、時間差の最も低い統計的に有意な範囲の平均を計算する。例えば、コントローラ５０Ｍは、４０秒から４９秒まで測定された時間差全ての平均を計算し、結果的にストリート照明２０Ａとの４５秒の計算された時間的関係になる。予め定められた数の時間差がその所与の照明器具に対して受信された後、所与のストリート照明器具２０Ａ―Ｌ又は２０Ｎ―Ｐとの時間的関係が修正される。他の実施例では、所与のストリート照明器具２０Ａ―Ｌ又は２０Ｎ―Ｐとの時間的関係は、低い活動の期間の間に、連続的に更新される。幾つかの実施例では、所与のストリート照明器具２０Ａ―Ｌ又は２０Ｎ―Ｐとの時間的関係は、例えば、手動で及び／又は、コントローラ５０Ｍが所与のストリート照明器具２０Ａ―Ｌ又は２０Ｎ―Ｐに関する計算された時間差での有意な変化を認識する場合、再設定可能である。計算された時間差での有意な変化は、例えば、交通パターンが変えられる、及び／又は速度制限が変えられる場合、発生する。
【００５０】
付加的な例として、下記の表１―２は、ストリート照明器具２０Ａ―Ｌ及び２０Ｎ―Ｐに関してストリート照明器具２０Ｍに対する計算された時間的関係を示す。
0005943838.tif 000003
表１―２
【００５１】
コントローラ５０Ｍは、最近受信したストリート照明器具識別データに対応するストリート照明器具２０Ａ―Ｌ又は２０Ｎ―Ｐとの計算された時間的関係に基づいて、光源２４Ｍの光出力を調整する。一例として、コントローラ５０Ｍは、様々な時間的関係に対応する様々な光出力を示す下記の表１―３に従ってその光源２４Ｍを調整する。代わりの実施例では、コントローラ５０Ｍは、例えば他のテーブル及び／又は式の変数として時間的関係を含む当該式に従ってその光源を調整する。
0005943838.tif 000004
表１―３
【００５２】
表１―２及び表１―３を利用して、調整の後、ストリート照明器具２０Ｍの挙動の例のために図１が継続して参照される。車がストリート照明器具カバー範囲２１Ａ内を移動する場合、ストリート照明器具２０Ａのデータ送信器３７Ａは、直接又は間接的に、ストリート照明器具２０Ｍへストリート照明識別データを送信する。ストリート照明器具２０Ｍは、データ受信器３９Ｍを介してストリート照明器具識別データを受信する。ストリート照明器具２０Ａとのストリート照明器具２０Ｍの計算された時間的関係が６０秒未満であるが、２９秒より長い（４５秒である）ので、コントローラ５０Ｍは、光源２４Ｍに、その光出力のほぼ８５％を作るように照明させる。車がストリート照明器具カバー範囲２１Ｂ内を移動する場合、データ送信器３７Ｂは、直接又は間接的に、データ受信器３９Ｍへストリート照明器具識別データを送信する。ストリート照明器具２０Ｂとのストリート照明器具２０Ｍの計算された時間的関係が６０秒未満であるが、２９秒より長い（３５秒である）ので、コントローラ５０Ｍは、光源２４Ｍをその光出力のほぼ８５％に維持する。
【００５３】
車が直線の経路を走り続けて、ストリート照明器具カバー範囲２１Ｃ内を移動する場合、データ送信器３７Ｃは、直接又は間接的に、データ受信器３９Ｍへストリート照明器具識別データを送信するだろう。ストリート照明器具２０Ｍとのストリート照明器具２０Ｃの計算された時間的関係が１８０秒より長いので、コントローラ５０Ｍは、光源２４Ｍの光出力をその光出力のほぼ３０％に下げるだろう。車が代わりに左折して、ストリート照明器具カバー範囲２１Ｉ内を移動する場合、データ送信器３７１は、データ受信器３９Ｍへストリート照明器具識別データを送信するだろう。ストリート照明器具２０Ｍとのストリート照明器具２０Ｉの計算された時間的関係が３０秒未満（２０秒）であるので、コントローラ５０Ｍは、光源２４Ｍの光出力をその光出力のほぼ１００％まで増大するだろう。幾つかの実施例では、車が低い光出力値に対応する時間的値を持つ他のストリート照明器具（例えばストリート照明器具２０Ｎ）に接近するまで、及び／又は、近い車を示すストリート照明器具識別データを受信せずに所定の時間が経過するまで、光源２４Ｍの光出力は、ほぼ１００％に維持される。
【００５４】
幾つかの実施例では、ストリート照明器具２０Ａ―Ｐの新しく装置された照明器具が、ストリート照明器具２０Ａ―Ｐの他の照明器具から調整されるのに十分な統計的データを受信するまで、新しく装置された照明器具はフルの光出力である。幾つかの実施例では、ストリート照明器具２０Ａ―Ｐの一つ以上の照明器具は、最小の光出力レベルで構成される。例えば、複数のストリート照明器具２０Ａ―Ｐは、安全な環境を維持するために、常に少なくとも７０％の光出力レベルを作るように構成される。幾つかの実施例では、ストリート照明器具２０Ａ―Ｐの光源２４Ａ―Ｐの一つ以上は、例えば、近い車を示すストリート照明器具識別データを受信せずに所定の時間が経過した後、及び／又は、ストリート照明器具２０Ａ―Ｐから離れて移動する対象物を示すストリート照明器具識別データを受信した後、完全に消灯する。
【００５５】
幾つかの実施例では、ストリート照明器具２０Ａ―Ｐの一つ以上の照明器具の光出力レベルは、付加的に又は代わりに、検出された対象物の方向の決定に依存している。幾つかの実施例では、基準器具に対する検出された対象物の方向は、最近受信したストリート照明器具識別データに対応する時間的関係と、最近より前に受信したストリート照明器具識別データに対応する時間的関係とを比較することにより決定される。例えば、増加している時間的関係は、対象物が基準器具から離れて移動していることを示す。
【００５６】
幾つかの実施例では、検出された対象物の方向は、ストリート照明器具２０Ａ―Ｐ間の計算された空間的関係に関して決定される。空間的関係は、低い活動の期間の間に調整されて決定され、照明器具識別データの後続の活動に基づいて一つ以上の経路を計算することを含む。例えば、低い活動の期間の間、シーケンシャルのストリート照明器具識別データは、以下の表１―４に示されるストリート照明ネットワーク１０に沿った活動の後続の８つの典型的経路を決定するために監視される。
0005943838.tif 000005
表１―４
【００５７】
空間的関係が決定された後の低い活動の期間の間、空間的関係に基づいてストリート照明器具２０Ａ―Ｐの所定の照明器具で動きが検出されるとき、ストリート照明器具２０Ａ―Ｐの特定の照明器具だけが照明されてもよい。例えば、動きがストリート照明器具カバー範囲２１Ａ内で検出される場合、経路１、３及び５に沿ったストリート照明器具（２０Ａ、２０Ｂ、２０Ｃ、２０Ｄ、２０Ｉ、２０Ｊ、２０Ｍ及び２０Ｎ）が照明される。幾つかの実施例では、経路に沿ったストリート照明器具２０Ａに近い照明器具は、経路に沿ってより離れた照明器具より高い光出力レベルに照明される。例えば、ストリート照明器具２０Ｂ、２０Ｃ及び２０Ｉは、ストリート照明器具２０Ｄ及び２０Ｊより高い光出力レベルに照明され、ストリート照明器具２０Ｄ及び２０Ｊは、ストリート照明器具２０Ｍ及び２０Ｎより高い光出力レベルに照明される。動きがストリート照明器具カバー範囲２１Ｂ内で検出される場合、ストリート照明器具２０Ｄ及び２０Ｊの光出力レベルは増大される。動きがストリート照明器具カバー範囲２１Ｃ内で検出される場合、そのポイントで動きが経路１に沿って発生し、経路３又は経路５のどちらに沿っても発生していないことが決定されるので、ストリート照明器具２０Ｉ、２０Ｊ、２０Ｍ及び２０Ｎの光出力は減少する。
【００５８】
ストリート照明器具２０Ａ―Ｐの所定の照明器具の光出力は、ストリート照明器具２０Ａ―Ｐ内の決定された空間的関係だけに依存している。幾つかの実施例では、ストリート照明器具２０Ａ―Ｐの所定の照明器具の光出力は、ストリート照明器具２０Ａ―Ｐ内の決定された空間的関係と、これらの間の決定された時間的関係とに依存している。幾つかの実施例では、ストリート照明器具２０Ａ―Ｐの所定の照明器具の光出力は、ストリート照明器具２０Ａ―Ｐ内の決定された空間的関係と、これらの間のフライト時間とに依存している。
【００５９】
一つ以上のストリート照明器具２０Ａ―Ｐの光出力レベルは、昼光センサにより測定されるような周囲光レベルにも依存している。例えば、周囲光レベルが比較的暗い状況を示す場合、ストリート照明器具２０Ａ―Ｄの所定の照明器具は、周囲光が（雪で覆われているか及び／又は満月の場合のように）比較的光のある夜の時間状況を示す場合より、所与の時間的関係に対して光出力のより高いレベルに照明される。
【００６０】
ここで説明された時間的及び／又は空間的に動的な調整を利用して、ストリート照明器具２０Ａ―Ｐの一つの照明器具の置換は、置換されていないストリート照明器具２０Ａ―Ｐの何れの設定も変える必要なしに発生し、ストリート照明器具２０Ａ―Ｐの置換された照明器具は容易に適応して、ストリート照明器具ネットワーク１０内で自動調整するであろうことは、理解されるだろう。加えて、ストリート照明ネットワーク１０の新規な設置は、試運転必要なしで発生してもよい。例えば、新規な設置は、個々のストリート照明器具１０の手動調整の必要なしに、個々のストリート照明器具２０Ａ―Ｐを手動でマッピングする必要なしに発生する。
【００６１】
図３を参照すると、他の実施例では、ストリート照明器具ネットワーク１００は、カーブの車道に沿って配置された複数のストリート照明器具１２０Ａ―Ｐを持つ。複数のストリート照明器具１２０Ａ―Ｐは、互いとネットワーク通信し、各々は、ストリート照明器具１２０Ａ―Ｐの各々を囲む破線の環状ラインにより概して表わされる対応するストリート照明カバー範囲内の対象物の動きを検出するように動作可能である。ストリート照明器具１２０Ａ―Ｐ間の空間的関係は、低い活動の期間の間に決定され、後続の活動に基づいて一つ以上の経路を計算することを含む。例えば、各ストリート照明器具がストリート照明器具１２０Ａ―Ｐの他の照明器具との関係を決定するように、低い活動の期間の間、シーケンシャルのストリート照明器具識別データは、ストリート照明器具１２０Ａ―Ｐの各々により監視される。例えば、下記の表３―１は、他の器具とのストリート照明器具１２０Ｋの空間的関係を示す。テーブル３―１の空間的関係は、低い活動の期間の間のストリート照明器具１２０Ｋによる動きの検出に先行する及び後続するストリート照明器具識別データを追跡することにより計算可能である。
0005943838.tif 000006
表３―１
【００６２】
ストリート照明器具１２０Ｋに関連したコントローラは、ストリート照明器具１２０Ｋと少なくとも一つの最近受信したストリート照明器具識別データと間の空間的関係に対応する光出力レベルにその光源を照明させる。例えば、幾つかの実施例では、最も最近受信したストリート照明器具識別データが３以下の空間的関係を持つストリート照明器具１２０Ａ―Ｐでの動きを示す場合、照明器具１２０Ｋは閾値の照明レベルに照明する。また、例えば、幾つかの実施例では、最も最近受信したストリート照明器具識別データが３以下の空間的関係を持つストリート照明器具１２０Ａ―Ｐでの動きを示す場合、及び、少なくとも２つの最近受信したストリート照明器具識別データが、ストリート照明器具１２０Ｋへ向かう方向に移動している動きを示す場合、ストリート照明器具１２０Ｋは、閾値の照明レベルに照明する。幾つかの実施例では、ストリート照明器具１２０Ａ―Ｐの所定の照明器具の光出力は、ストリート照明器具１２０Ａ―Ｐ間の決定された空間的関係だけに依存している。幾つかの実施例では、ストリート照明器具１２０Ａ―Ｐの所定の照明器具の光出力は、ストリート照明器具１２０Ａ―Ｐ間の決定された空間的関係と、これらの間の決定された時間的関係に依存している。ストリート照明器具１２０Ａ―Ｐの所定の照明器具の光出力は、ストリート照明器具１２０Ａ―Ｐ間の決定された空間的関係及びこれらの間のフライトの時間に依存している。
【００６３】
照明器具のための制御システムの様々な実施例がここで説明されてきたが、これらの多くの変形及び／又はこれらの実施例への追加が実行されてもよい。例えば、幾つかの実施例では、ストリート照明器具は、独立して制御される両側配光にデザインできる。例えば、車がまばらな道路、交差点、又は夜比較的混んでいない道路の場合、独立して制御される両側配光のストリート照明器具の片側だけに十分な強度で照明させ、それによって、ドライバがグレアを感じることを最小化することが望ましい。ストリート照明器具に近い交通の量、方向及び／又は速度に依存して、ストリート照明器具の片側又は両側がしかるべく照明される。
【００６４】
また、例えば、幾つかの実施例では、ソーラー給電ストリート照明器具が利用されてもよい。また、例えば、無線範囲にない領域で、コード化された光放射が、適切に備えられた車へトラベル安全情報を送信するために使用できる。
【００６５】
また、例えば、幾つかの実施例では、単一の制御システム２５の一つ以上の部品は、複数の照明器具と関係している。例えば、単一の制御システム２５は、複数の照明器具を持つ照明器具ノードを制御し、各々が一つ以上の照明器具を持つ一つ以上の照明器具ノードとネットワーク通信する。これら又は他の実施例では、制御システムは、複数の照明器具の単一の照明器具に、又は隣接して物理的に位置されるか、又は例えば、遠隔ポール又は複数の照明器具とは異なる他の領域に供給される。
【００６６】
また、例えば、幾つかの実施例で、照明ネットワークは、例えば、通路、トンネル、オフィス、ストア（例えば、棚照明）又は空港のトランジションスペースのような内部アプリケーションのために用いられる。これら又は他のアプリケーションでは、照明ネットワークは、様々な歩行者の動きを検出するように動作可能である。例えば、歩行者は、異なる速度で歩くか、走り、ローラーブレードを使用し、又はコンベヤーベルト上を異なる速度で移動し、照明ネットワークにより検出される。閾値光出力と関係する光出力の変化は、例えば、特定の波長のような光出力強度の成分だけでなく全体の光出力強度を参照する。
【００６７】
また、例えば、幾つかの実施例では、カメラが、ストリート照明器具ネットワークに組み込まれ、一つ以上のストリート照明器具により測定される車の速度が速度制限を超えるとき、車のナンバープレートの画像を撮るように構成される。また、例えば、照明器具ネットワークは、例えば、インターネット又は電話網のような外部ネットワークと電気的に通信し、スピード違反又は他の事件を警察又は他の緊急事態サービスに自動的に報告する。
【００６８】
本明細書において幾つかの発明の実施の形態が説明及び図示されたが、当業者であれば、本明細書において述べられた機能を実行する及び／又は結果及び／又は利点の１つ以上を得るための種々の他の手段及び／又は構成を容易に構想するであろう。また、そのような変形例及び／又は変更例のそれぞれは、本明細書において述べられた発明の実施の形態の範囲内にあると見なされる。より一般的には、当業者であれば、本明細書において述べられた全てのパラメータ、寸法、材料及び構成は例示的であるように意図されており、本発明の教示が使用される具体的な用途に依存することを容易に理解するであろう。当業者は、日常の実験のみを用いて、本明細書において述べられた具体的な発明の実施の形態の多くの均等物を認識する又は確認することができるであろう。従って、上記実施の形態は単に例として与えられており、添付の特許請求の範囲及びその均等物の範囲内では、発明の実施の形態は、具体的に説明され、特許請求の範囲に記載されたやり方以外のやり方で実施され得ることを理解されたい。この開示の発明の実施の形態は、本明細書において述べられた個々の特徴、システム、物品、材料、キット及び／又は方法に向けられている。また、そのような特徴、システム、物品、材料、キット及び／又は方法が互いに矛盾しないのであれば、２つ又はそれ以上のそのような特徴、システム、物品、材料、キット及び／又は方法の任意の組み合わせは、この開示の発明の範囲内に含まれる。
【００６９】
本明細書において定義され、使用される場合、全ての定義は、辞書を超える定義、参照することにより組み込まれる文書内の定義及び／又は定義された用語の通常の意味を支配すると理解されたい。
【００７０】
明細書及び特許請求の範囲において本願で用いられる場合、不定冠詞「a」及び「an」は、反対のことを明確に示されない限り、「少なくとも１つ」を意味すると理解されたい。
【００７１】
「及び／又は」という表現は、明細書及び特許請求の範囲において本願で用いられる場合、そのような等位結合した要素、すなわち、あるケースでは接続的に存在する要素及び他のケースでは選言的に存在する要素の「どちらか一方又は両方」を意味すると理解されたい。「及び／又は」を伴って列挙された複数の要素は、同じように、すなわち、そのような等位結合した要素の「一つ以上」と解釈されるべきである。「及び／又は」節により明確に特定された要素以外の他の要素が、明確に特定されたこれらの要素に関係があろうとなかろうとオプションで存在し得る。従って、非限定的な例として、「Ａ及び／又はＢ」の記載は、「有する」のような非制限的な言葉と共に用いられる場合、一実施の形態では、Ａのみ（オプションでＢ以外の要素を含む）を意味し、他の形態では、Ｂのみ（オプションでＡ以外の要素を含む）を意味し、更に他の実施の形態では、Ａ及びＢの両方（オプションで他の要素を含む）を意味する等である。
【００７２】
本願明細書及び請求項において使用されるように、「又は」は、上記「及び／又は」と同じ意味を持つと理解されるべきである。例えば、リストの項目を分けるとき、「又は」又は「及び／又は」は、含んでいるとして解釈されるべきであり、すなわち、少なくとも１つを含むが、多くの要素の数若しくは要素のリスト１つより多くも含み、オプションで、リストに載ってない追加の項目も含むものとして解釈されるべきである。対照的に、「一つだけ」、「正確に一つ」又は請求項で使用されるときは「から成る」のような明らかに指示した用語だけは、多くの要素又は要素のリストの正確に１つの要素を含むことを参照する。概して、本願明細書で用いられる用語「又は」は、「何れか」「の一つ」「も一つだけ」又は「の正確に一つ」のような排他性の用語が先に来るとき、排他的な択一物（すなわち「一方又は他方であって両方ではない」）を示すものとして解釈されるだけである。請求項において使用されるとき、「基本的に」「から成る」ことは、特許法の分野において用いられるような通常の意味を有する。
【００７３】
明細書及び特許請求の範囲において本願で用いられる場合、一つ以上の要素のリストに関連する「少なくとも１つ」という表現は、要素のリスト内の要素の任意の一つ以上から選択された少なくとも１つの要素を意味すると理解されるべきであり、要素のリスト内に明確に列挙されたありとあらゆる要素の少なくとも１つを必ずしも含むものではなく、要素のリストにおける要素の任意の組み合わせを排除するものではない。この定義は、明確に特定されたこれらの要素に関係があろうとなかろうと、「少なくとも１つ」という表現が指す要素のリスト内において明確に特定された要素以外に要素がオプションで存在することも可能にする。従って、非限定的な例として、「Ａ及びＢの少なくとも１つ」（又は、同等に「Ａ又はＢの少なくとも１つ」、同等に「Ａ及び／又はＢの少なくとも１つ」）は、一実施の形態では、Ｂは存在しない（オプションでＢ以外の要素を含む）状態での少なくとも１つの、オプションで１つよりも多く含むＡを意味し、他の形態では、Ａは存在しない（オプションでＡ以外の要素を含む）状態での少なくとも１つの、オプションで１つよりも多く含むＢを意味し、更に他の実施の形態では、少なくとも１つの、オプションで１つよりも多く含むＡ及び少なくとも１つの、オプションで１つよりも多く含むＢ（オプションで他の要素を含む）を意味する等である。
【００７４】
特許請求の範囲及び上記明細書では、「有する」、「含む（including）」、「担持する」、「持つ」、「含む（containing）」、「伴う」、「保持する」、「によって構成される」等のような全ての移行句は、非制限的である、すなわち、含むが限定されるものではないことを意味すると理解されるべきである。「から成る」及び「から本質的に成る」という移行句のみが、それぞれ、排他的又は半排他的な移行句である。
【図１】
0005943838.tif 000007
【図２】
0005943838.tif 000008
【図３】
0005943838.tif 000009